【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
フェムトセルにおいてワイヤレス通信トラフィックをアグリゲートするための方法であって、
フェムトセルにおいて、ネットワークインターフェースを通して前記フェムトセルに接続されたワイヤレストランシーバからモバイルデバイス向けのデータパケットのストリームを受信することと、
前記フェムトセルによって、前記フェムトセルから前記モバイルデバイスに前記データパケットのストリームのデータパケットを送るための送信モードを選択することと、前記選択することは、前記データパケットのストリームからの前記データパケットを前記モバイルデバイスに送信するために、第１の送信モード、第２の送信モード、あるいは第３の送信モードを使用するのかを決定することを備え、
前記第１の送信モードは、前記フェムトセルのロングタームエボリューション（ＬＴＥ）インターフェースを介して前記ストリームからの前記データパケットを送信することを備え、
前記第２の送信モードは、前記データパケットを、前記ワイヤレストランシーバのＷｉＦｉ（登録商標）インターフェースを介して前記ストリームからの前記データパケットを送信するために前記モバイルデバイスへの送信のための前記ワイヤレストランシーバに送ることを備え、
前記第３の送信モードは、前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備え、
前記選択された送信モードに従って前記データパケットを送ることと
を備える、方法。
【請求項２】
前記ワイヤレストランシーバはワイヤレスルータのワイヤレストランシーバである、および／または、
前記送信モードを選択することは、前記フェムトセルと前記モバイルデバイスとの間のＬＴＥリンクのリンク状態に少なくとも部分的に基づいて前記送信モードを選択することを備える、および／または、
前記送信モードを選択することは、前記ワイヤレストランシーバと前記モバイルデバイスとの間のＷｉＦｉリンクのリンク状態に少なくとも部分的に基づいて前記送信モードを選択することを備える、および／または、
前記送信モードを選択することは、前記フェムトセルと前記モバイルデバイスとの間のＬＴＥリンクのローディングに少なくとも部分的に基づいて前記送信モードを選択することを備える、および／または、
前記送信モードを選択することは、前記ワイヤレストランシーバと前記モバイルデバイスとの間のＷｉＦｉリンクのローディングに少なくとも部分的に基づいて前記送信モードを選択することを備える、および／または、
前記送信モードを選択することは、少なくとも、前記フェムトセルのバックホールのローディングに少なくとも部分的に基づいて前記送信モードを選択することを備える、および／または、
前記選択された送信モードに従って前記データパケットを送ることは、前記フェムトセルから前記モバイルデバイスに送信されるパケットをカプセル化することを備え、および、随意に、
前記ワイヤレスルータがブリッジング機能性を提供するかどうか決定することをさらに備え、前記フェムトセルから前記モバイルデバイスに送信されるパケットを前記カプセル化することは、前記ワイヤレスルータがブリッジング機能性を提供しない場合に実施される、請求項１に記載の方法。
【請求項３】
前記第３の送信モードが選択されたことに応答して、アグリゲートデータセッションの開始を示す信号を前記モバイルデバイスに送ることをさらに備える、および／または、
前記送信モードを選択することは、
ＬＴＥユーザプレーンデータ用に前記第２の送信モードを選択することと、
ＬＴＥ制御プレーンデータ用に前記第１の送信モードを選択することと
をさらに備える、および／または、
前記モバイルデバイスにアグリゲーション発見メッセージを送ることと、
前記モバイルデバイスからアグリゲーション発見応答を受信することと、
前記モバイルデバイスに第１のアグリゲーション情報を送信することと、
前記モバイルデバイスから第２のアグリゲーション情報を受信することと、
前記第１のアグリゲーション情報および前記第２のアグリゲーション情報に基づいて前記フェムトセルのアグリゲーション層を構成することと
をさらに備え、および、随意に、
前記第１のアグリゲーション情報はアグリゲーションポリシー情報を備える、および／または、
前記モバイルデバイスとのＷｉＦｉ接続性をテストすることをさらに備える、請求項１に記載の方法。
【請求項４】
フェムトセルにおいてワイヤレス通信トラフィックをアグリゲートするための装置であって、
フェムトセルにおいて、ネットワークインターフェースを通して前記フェムトセルに接続されたワイヤレストランシーバからモバイルデバイス向けのデータパケットのストリームを受信するための手段と、
前記フェムトセルから前記モバイルデバイスに前記データパケットのストリームのデータパケットを送るための送信モードを選択するための手段と、選択するための前記手段は、前記データパケットのストリームからの前記データパケットを前記モバイルデバイスに送信するために、第１の送信モード、第２の送信モード、あるいは第３の送信モードを使用するのかを決定するための手段を備え、
前記第１の送信モードは、前記フェムトセルのロングタームエボリューション（ＬＴＥ）インターフェースを介して前記ストリームからの前記データパケットを送信することを備え、
前記第２の送信モードは、前記データパケットを、前記ワイヤレストランシーバのＷｉＦｉインターフェースを介して前記ストリームからの前記データパケットを送信するために前記モバイルデバイスへの送信のための前記ワイヤレストランシーバに送ることを備え、
前記第３の送信モードは、前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備え、
前記選択された送信モードに従って前記データパケットを送るための手段と
を備える、装置。
【請求項５】
モバイルデバイスにおいてワイヤレス通信トラフィックをアグリゲートするための方法であって、
前記モバイルデバイスによって、第１のワイヤレス通信プロトコルを使って、フェムトセルから、データストリームからのデータパケットの第１の部分を受信することと、ここにおいて、前記データパケットの前記第１の部分は、前記フェムトセルによって前記モバイルデバイスへ送られる前に、前記フェムトセルによってワイヤレストランシーバから受信される、
第２のワイヤレス通信プロトコルを使って、前記ワイヤレストランシーバから、前記データストリームからのデータパケットの第２の部分を受信することと、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートすることと
を備える、方法。
【請求項６】
前記データパケットの前記第１の部分と前記データパケットの前記第２の部分とを受信するのに先立って、アグリゲートデータセッションの開始を示す信号を、前記フェムトセルから受信することをさらに備える、および／または、
前記データパケットの前記第１の部分と前記データパケットの前記第２の部分とを受信した後、前記アグリゲートデータセッションの終了を示す信号を、前記フェムトセルから受信することをさらに備える、および／または、
前記ワイヤレストランシーバはワイヤレスルータのワイヤレストランシーバである、請求項５に記載の方法。
【請求項７】
モバイルデバイスにおいてワイヤレス通信トラフィックをアグリゲートするための装置であって、
前記モバイルデバイスによって、第１のワイヤレス通信プロトコルを使って、フェムトセルから、データストリームからのデータパケットの第１の部分を受信するための手段と、ここにおいて、前記データパケットの前記第１の部分は、前記フェムトセルによって前記モバイルデバイスへ送られる前に、前記フェムトセルによってワイヤレストランシーバから受信される、
第２のワイヤレス通信プロトコルを使って、前記ワイヤレストランシーバから、前記データストリームからのデータパケットの第２の部分を受信するための手段と、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートするための手段と
を備える、装置。
【請求項８】
モバイルデバイスにおいてワイヤレス通信トラフィックをアグリゲートするための方法であって、
モバイルデバイスのアグリゲーションモジュールにおいて、リモートネットワークエンティティに送信されるべきデータパケットのストリームを受信することと、
前記モバイルデバイスから、前記モバイルデバイスに関連付けられたフェムトセルに前記データパケットのストリームのデータパケットを送るための送信モードを選択することと、前記選択することは、前記モバイルデバイスのロングタームエボリューション（ＬＴＥ）インターフェースを介して前記ストリームからの前記データパケットを送信することを備える第１の送信モードを使って、前記データパケットのストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使ってデータストリームからの前記データパケットを送信するかを、決定することを備え、前記第１の部分および前記第２の部分は、前記ワイヤレストランシーバを介して前記フェムトセルによって前記リモートネットワークエンティティに送信される、
前記選択された送信モードに従って前記データパケットを送ることと
を備える、方法。
【請求項９】
前記送信モードを選択することは、前記フェムトセルと前記モバイルデバイスとの間のＬＴＥリンクのリンク状態に少なくとも部分的に基づいて前記送信モードを選択することを備える、および／または、
前記送信モードを選択することは、前記フェムトセルと前記モバイルデバイスとの間のＷｉＦｉリンクのリンク状態に少なくとも部分的に基づいて前記送信モードを選択することを備える、および／または、
前記送信モードを選択することは、前記フェムトセルと前記モバイルデバイスとの間のＬＴＥリンクのローディングに少なくとも部分的に基づいて前記送信モードを選択することを備える、および／または、
前記送信モードを選択することは、前記フェムトセルと前記モバイルデバイスとの間のＷｉＦｉリンクのローディングに少なくとも部分的に基づいて前記送信モードを選択することを備える、および／または、
前記選択された送信モードに従って前記データパケットを送ることは、前記モバイルデバイスから前記フェムトセルに送信されるパケットをカプセル化することを備える、請求項８に記載の方法。
【請求項１０】
前記第３の送信モードが選択されたことに応答して、アグリゲートデータセッションの開始を示す信号を前記フェムトセルに送ることをさらに備える、および／または、
前記ワイヤレストランシーバはワイヤレスルータのワイヤレストランシーバである、および／または、
前記送信モードを選択することは、
ＬＴＥユーザプレーンデータ用に前記第２の送信モードを選択することと、
ＬＴＥ制御プレーンデータ用に前記第１の送信モードを選択することと
をさらに備える、および／または、
前記フェムトセルにアグリゲーション発見メッセージを送ることと、
前記フェムトセルからアグリゲーション発見応答を受信することと、
前記フェムトセルに第１のアグリゲーション情報を送信することと、
前記フェムトセルから第２のアグリゲーション情報を受信することと、
前記第１のアグリゲーション情報および前記第２のアグリゲーション情報に基づいて前記モバイルデバイスのアグリゲーション層を構成することと
をさらに備え、および、随意に、
前記第１のアグリゲーション情報はアグリゲーションポリシー情報を備える、および／または、
前記フェムトセルとのＷｉＦｉ接続性をテストすることをさらに備える、請求項８に記載の方法。
【請求項１１】
モバイルデバイスにおいてワイヤレス通信トラフィックをアグリゲートするための装置であって、
モバイルデバイスのアグリゲーションモジュールにおいて、リモートネットワークエンティティに送信されるべきデータパケットのストリームを受信するための手段と、
前記モバイルデバイスから、前記モバイルデバイスに関連付けられたフェムトセルに前記データパケットのストリームのデータパケットを送るための送信モードを選択するための手段と、前記選択することは、前記モバイルデバイスのロングタームエボリューション（ＬＴＥ）インターフェースを介して前記ストリームからの前記データパケットを送信することを備える第１の送信モードを使って、前記データパケットのストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使ってデータストリームからの前記データパケットを送信するかを、決定することを備え、前記第１の部分および前記第２の部分は、前記ワイヤレストランシーバを介して前記フェムトセルによって前記リモートネットワークエンティティに送信される、
前記選択された送信モードに従って前記データパケットを送るための手段と
を備える、装置。
【請求項１２】
フェムトセルにおいてワイヤレス通信トラフィックをアグリゲートするための方法であって、
第１のワイヤレス通信プロトコルを使って、前記フェムトセルにおいて、データストリームからのデータパケットの第１の部分を、前記フェムトセルの外部のワイヤレストランシーバを介してモバイルデバイスから受信することと、
第２のワイヤレス通信プロトコルを使って、前記フェムトセルにおいて、前記データストリームからのデータパケットの第２の部分を、前記モバイルデバイスとのワイヤレス接続を介して前記モバイルデバイスから受信することと、
アグリゲートされたデータストリームを作成するために、前記フェムトセルにおいて前記データストリームを再アセンブルするように、前記データパケットの前記第１の部分と前記データパケットの前記第２の部分とをアグリゲートすることと、
前記フェムトセルによって、前記アグリゲートされたデータストリームを、前記ワイヤレストランシーバを介してデータパケットの第１のセットおよびデータパケットの第２のセットの予定受信側である宛先ネットワークエンティティに送ることと
を備える、方法。
【請求項１３】
前記データパケットの前記第１の部分と前記データパケットの前記第２の部分とを受信するのに先立って、アグリゲートデータセッションの開始を示す信号を前記モバイルデバイスから受信することをさらに備える、および／または、
前記データパケットの前記第１の部分と前記データパケットの前記第２の部分とを受信した後、前記アグリゲートデータセッションの終了を示す信号を前記モバイルデバイスから受信することをさらに備える、および／または、
前記ワイヤレストランシーバは、前記フェムトセルに接続されたワイヤレスルータのワイヤレストランシーバである、請求項１２に記載の方法。
【請求項１４】
フェムトセルにおいてワイヤレス通信トラフィックをアグリゲートするための装置であって、
第１のワイヤレス通信プロトコルを使って、前記フェムトセルにおいて、データストリームからのデータパケットの第１の部分を、前記フェムトセルの外部のワイヤレストランシーバを介してモバイルデバイスから受信するための手段と、
第２のワイヤレス通信プロトコルを使って、前記フェムトセルにおいて、前記データストリームからのデータパケットの第２の部分を、前記モバイルデバイスとのワイヤレス接続を介して前記モバイルデバイスから受信するための手段と、
アグリゲートされたデータストリームを作成するように、前記フェムトセルにおいて、前記モバイルデバイスからの前記データストリームを再アセンブルするために、前記データパケットの前記第１の部分と前記データパケットの前記第２の部分とをアグリゲートするための手段と、
前記フェムトセルによって、前記アグリゲートされたデータストリームを、データパケットの第１のセットおよびデータパケットの第２のセットの予定受信側である宛先ネットワークエンティティに送るための手段と
を備える、装置。
【請求項１５】
コンピュータ可読命令を記憶した有形のコンピュータ可読媒体であって、コンピュータに、方法の請求項１から請求項３、請求項５から請求項６、請求項８から請求項１０、および請求項１２から請求項１３のいずれか一項のステップを実行させるように構成された命令を備える、有形のコンピュータ可読媒体。